(57)【要約】【課題】本発明は静電霧化装置に関するもので、マイナスに帯電した帯電微粒子水の発生量をより安定させることが出来るものである。【解決手段】そしてこの目的を達成するために本発明は、本体ケース１内に第一の送風手段２を備え、第一のケーシング７の舌片１０に対向した第一の舌片対向面１２に負圧発生孔１５を備え、この第一の舌片対向面１２の外側に静電霧化手段３と、負圧発生孔１５とを覆う静電霧化カバー部１６とを設け、この静電霧化カバー部１６には、第一の連通口１７と第二の連通口１８とを備え、負圧発生孔１５によって第二の吸気口５から、第一の連通口１７、負圧発生孔１５へ流れる第一の気流１９と、第二の吸気口５から、第二の連通口１８、静電霧化手段３、負圧発生孔１５へ流れる第二の気流２０とが発生し、第二の連通口１８の開口面積は、第一の連通口１７の開口面積より小さい構成としたものである。【選択図】図２
2011183015.tif 000002
【特許請求の範囲】
【請求項１】
第一の吸気口と第二の吸気口と排気口を有する本体ケースと、この本体ケース内に設けられた第一の送風手段とを備え、この第一の送風手段はスクロール形状の第一のケーシングと、この第一のケーシング内に設けられた第一の羽根と、この第一の羽根を回転させる第一の電動機とから形成し、前記第一の送風手段は、前記第一の吸気口から本体ケース内に吸気した空気を前記排気口へと送風すると共に、前記第一のケーシングの舌片に対向した第一の舌片対向面に負圧発生孔を備え、前記第一の舌片対向面の外側に静電霧化手段を設け、この静電霧化手段は、放電電極と、この放電電極に対向して配置された対向電極と、これらの対向電極と放電電極間に高電圧を印加する高電圧印部と、前記放電電極を冷却する冷却部と、この冷却部の熱を放熱する放熱フィンとから形成し、前記静電霧化手段と前記負圧発生孔とを覆う静電霧化カバー部を設け、この静電霧化カバー部には、第一の連通口と第二の連通口とを備え、前記負圧発生孔によって前記第二の吸気口から、前記第一の連通口、前記負圧発生孔へ流れる第一の気流と、前記第二の吸気口から、前記第二の連通口、前記静電霧化手段、前記負圧発生孔へ流れる第二の気流とが発生し、前記第二の連通口の開口面積は、前記第一の連通口の開口面積より小さい構成とした静電霧化装置。
【請求項２】
前記第二の気流である前記静電霧化手段から前記負圧発生孔へ流れる気流部分と、前記第一の気流である前記第一の連通口から前記負圧発生孔へ流れる気流部分とは途中で混ざり合う構成とした請求項１に記載の静電霧化装置。
【請求項３】
前記負圧発生孔は、前記静電霧化カバー部の一方側面寄り下部に位置し、前記第一の連通口は、前記静電霧化カバー部の他方側面寄り上部に位置する構成とした請求項１または２に記載の静電霧化装置。
【請求項４】
前記第一の連通口は、前記第二の連通口より前記第一のケーシング寄りに位置した請求項１から３のいずれかに記載の静電霧化装置。
【請求項５】
前記放電電極および前記対向電極は、前記第一の気流である前記第一の連通口から前記負圧発生孔へ流れる気流部分に対向して配置された構成とした請求項１から４のいずれかに記載の静電霧化装置。
【請求項６】
前記負圧発生孔に対向した前記静電霧化カバー部には、拡大空間部を設けた構成とした請求項１から５のいずれかに記載の静電霧化装置。
【請求項７】
前記放熱フィンは、前記静電霧化カバー部から外方に突出し、前記第二の連通口は、前記放熱フィンと前記静電霧化カバー部との間に位置する構成とした請求項１から６のいずれかに記載の静電霧化装置。
【請求項８】
前記静電霧化手段の前記対向電極と、前記第二の気流である前記第二の連通口から前記負圧発生孔へ流れる気流部分との間に消音手段を設けた請求項１から７のいずれかに記載の静電霧化装置。
【請求項９】
前記消音手段は、筒形状の吸音材で、この筒形状の孔方向は、前記第一の気流である前記第一の連通口から前記負圧発生孔へ流れる気流部分の流れ方向に対して垂直方向である請求項８に記載の静電霧化装置。
【請求項１０】
前記本体ケース内に除湿手段を設け、この除湿手段を前記第一の吸気口と前記第一の送風手段との間の風路に備えた構成とした請求項１から９のいずれかに記載の静電霧化装置。
【請求項１１】
前記除湿手段は、ヒートポンプと除湿ローターとから形成し、前記ヒートポンプは、圧縮機と、圧縮機の下流に順次設けた放熱器、膨張手段、吸熱器とにより形成し、前記第一の送風手段によって、前記第一の吸気口から本体ケース内に吸気した空気を放熱器、吸熱器を順次介して排気口へと送風すると共に、前記除湿ローターの放湿部は、前記放熱器と前記吸熱器との間の風路に設け、前記除湿ローターの吸湿部は、前記吸熱器と前記排気口との間の風路に設けた構成とした請求項１０に記載の静電霧化装置。
【請求項１２】
前記本体ケース内に除湿手段と、加熱手段と、第二の送風手段とを設け、前記加熱手段を前記第一の吸気口と前記第一の送風手段との間の風路に備え、前記第二の送風手段によって前記第一の吸気口または前記第二の吸気口から前記除湿手段を介して排気口へと送風する構成とした請求項１から９のいずれかに記載の静電霧化装置。
【請求項１３】
前記除湿手段は、ヒートポンプと除湿ローターとから形成し、前記ヒートポンプは、圧縮機と、圧縮機の下流に順次設けた放熱器、膨張手段、吸熱器とにより形成し、前記第二の送風手段によって、前記第一の吸気口から本体ケース内に吸気した空気を放熱器、吸熱器を順次介して排気口へと送風すると共に、前記除湿ローターの放湿部は、前記放熱器と前記吸熱器との間の風路に設け、前記除湿ローターの吸湿部は、前記吸熱器と前記排気口との間の風路に設け、前記加熱手段でもある前記放熱器を前記第一の吸気口と前記第一の送風手段との間の風路に備えた請求項１２に記載の静電霧化装置。
【発明の詳細な説明】
【技術分野】
【０００１】
本発明は、水に高電圧を印加することにより帯電微粒子水を生成する静電霧化装置に関する。
【背景技術】
【０００２】
静電霧化装置は、例えば臭気の分解等に活用され、更に、それに空気清浄機能や、除湿機能が取り付けられたものがある。このような従来の静電霧化装置の構成は以下のようになっていた。
【０００３】
すなわち、吸気口と排気口を有する本体ケースと、この本体ケース内に設けられた送風手段とを備え、この送風手段はスクロール形状のケーシングと、このケーシング内に設けられた羽根と、この羽根を回転させる電動機とから形成し、前記送風手段は、前記吸気口から本体ケース内に吸気した空気を前記排気口へと送風すると共に、ケーシング内に静電霧化手段を設けた構成となっていた（例えば、特許文献１参照）。
【先行技術文献】
【特許文献】
【０００４】
【特許文献１】特開２００９−０３６４０８号公報
【発明の概要】
【発明が解決しようとする課題】
【０００５】
上記従来例における課題は、マイナスに帯電した帯電微粒子水の発生量をより安定させるということであった。
【０００６】
すなわち、従来の物においては、放電電極を冷却部によって冷却することにより、放電電極の先端に空気中の水分を結露させ、その結露させた水に高電圧を印加し、マイナスの電荷を集中させることにより帯電微粒子水を生成していた。ここで、放電電極の先端を流れる風速が大きく変化すると、放電電極の先端での結露速度が変化すため、マイナスに帯電した帯電微粒子水の発生量にバラツキが発生するものである。
【０００７】
そこで本発明は、静電霧化装置のマイナスに帯電した帯電微粒子水の発生量をより安定させるということを目的とするものである。
【課題を解決するための手段】
【０００８】
そしてこの目的を達成するために本発明は、第一の吸気口と第二の吸気口と排気口を有する本体ケースと、この本体ケース内に設けられた第一の送風手段とを備え、この第一の送風手段はスクロール形状の第一のケーシングと、この第一のケーシング内に設けられた第一の羽根と、この第一の羽根を回転させる第一の電動機とから形成し、前記第一の送風手段は、前記第一の吸気口から本体ケース内に吸気した空気を前記排気口へと送風すると共に、前記第一のケーシングの舌片に対向した第一の舌片対向面に負圧発生孔を備え、前記第一の舌片対向面の外側に静電霧化手段を設け、この静電霧化手段は、放電電極と、この放電電極に対向して配置された対向電極と、これらの対向電極と放電電極間に高電圧を印加する高電圧印部と、前記放電電極を冷却する冷却部と、この冷却部の熱を放熱する放熱フィンとから形成し、前記静電霧化手段と前記負圧発生孔とを覆う静電霧化カバー部を設け、この静電霧化カバー部には、第一の連通口と第二の連通口とを備え、前記負圧発生孔によって前記第二の吸気口から、前記第一の連通口、前記負圧発生孔へ流れる第一の気流と、前記第二の吸気口から、前記第二の連通口、前記静電霧化手段、前記負圧発生孔へ流れる第二の気流とが発生し、前記第二の連通口の開口面積は、前記第一の連通口の開口面積より小さい構成としたものである。
【０００９】
これにより初期の目的を達成するものである。
【発明の効果】
【００１０】
以上のように本発明は、静電霧化装置のマイナスに帯電した帯電微粒子水の発生量をより安定させることが出来るものである。
【００１１】
すなわち、静電霧化カバー部には、第一の連通口と第二の連通口とを備え、第一の送風手段によって送風することにより、負圧発生孔が負圧となり、第二の吸気口から、第一の連通口、負圧発生孔へ流れる第一の気流と、第二の吸気口から、第二の連通口、静電霧化手段、負圧発生孔へ流れる第二の気流とが発生する。ここで、第二の連通口の開口面積は、第一の連通口の開口面積より小さい構成としたので、第一の送風手段によって送風する風量が大きく変化した場合にも、第二の気流は、第一の気流の風量に比べ変化が小さいものである。つまり、放電電極の先端での結露速度の変化も小さく、マイナスに帯電した帯電微粒子水の発生量の変化を小さくできるものである。
【００１２】
これらの結果により、静電霧化装置のマイナスに帯電した帯電微粒子水の発生量をより安定させることができるものである。
【図面の簡単な説明】
【００１３】
【図１】本発明の実施形態１を示す斜視図
【図２】同本体の断面概略図
【図３】同送風手段を示す断面概略図
【図４】同静電霧化カバー部を示す斜視図
【図５】同静電霧化手段を示す概略図
【図６】同静電霧化カバー部を示す斜視図
【図７】同静電霧化カバー部を示す図
【図８】本発明の実施形態２の断面概略図
【図９】本発明の実施形態３の断面概略図
【発明を実施するための形態】
【００１４】
（実施の形態１）
以下本発明の一実施形態を添付図面を用いて説明する。
【００１５】
図１、２に示すように、本実施形態の静電霧化装置は、本体ケース１内に第一の送風手段２と静電霧化手段３とを備えている。本体ケース１は、略縦長箱形状で、この本体ケース１の背面側側面部に、略四角形状の第一の吸気口４および第二の吸気口５を設け、本体ケース１の天面部に、略四角形状の排気口６を備えている。
【００１６】
第一の送風手段２は、本体ケース１の第一の吸気口４と、排気口６との間の風路に設けられ、スクロール形状の第一のケーシング７と、この第一のケーシング７内に設けられた第一の羽根８と、この第一の羽根８を回転させる第一の電動機９とから形成している。第一の送風手段２によって、第一の吸気口４から本体ケース１内に吸気した空気を排気口６へと送風するものである。なお、第一の送風手段２は、第一の電動機９によって少なくとも２種類の風量に切り替えが可能である。
【００１７】
図２、３、４に示すように、この第一の送風手段２の第一のケーシング７は、舌片１０を有する第一の舌片形成面１１と、この第一の舌片形成面１１に対向する第一の舌片対向面１２と、これら第一の舌片形成面１１と第一の舌片対向面１２の両側を結ぶ第一の側面１３と、第二の側面１４とにより形成している。
【００１８】
本実施形態における特徴は、第一の舌片対向面１２に負圧発生孔１５を備え、この第一の舌片対向面１２の外側に静電霧化手段３を設けると共に、静電霧化手段３と負圧発生孔１５とを覆う静電霧化カバー部１６を設け、この静電霧化カバー部１６には、第一の連通口１７と第二の連通口１８とを備え、この第二の連通口１８の開口面積は、第一の連通口１７の開口面積より小さい構成とした点である。
【００１９】
具体的には、第一のケーシング７は、舌片１０を有する第一の舌片形成面１１と、この第一の舌片形成面１１に対向する第一の舌片対向面１２と、これら第一の舌片形成面１１と第一の舌片対向面１２の両側を結ぶ第一の側面１３と、第二の側面１４とにより囲まれ、上方に開口した排気口６に接続されている。第一の舌片対向面１２に略楕円形状の開口である負圧発生孔１５を設け、第一の舌片対向面１２の外側で、負圧発生孔１５より上部に静電霧化手段３が位置するものである。これら静電霧化手段３と負圧発生孔１５とを覆う静電霧化カバー部１６を設けている。静電霧化カバー部１６は、一側面が開口した開口面１６ａを有した略箱形状で、この開口面１６ａが第一のケーシング７の第一の舌片対向面１２側に位置し、上面には、略四角形状の開口である第一の連通口１７を設け、開口面１６ａに対向した側面である対向側面１６ｂには、静電霧化手段３を装着する略四角形状の開口である装着開口１６ｃを備えている。この装着開口１６ｃに、後述する静電霧化手段３の放熱フィン２５の一部が外方へ突出するように固定し、この放熱フィン２５と、装着開口１６ｃとの間の隙間部が第二の連通口１８となる。
【００２０】
図５に示すように、この静電霧化手段３は、放電電極２１と、この放電電極２１に対向して配置された対向電極２２と、これらの対向電極２２と放電電極２１間に高電圧（この実施形態では−５ＫＶ）を印加する高電圧印部２３と、前記放電電極２１を冷却する冷却部として配置したペルチェ素子２４と、このペルチェ素子２４の熱を放熱する放熱フィン２５とを備えている。
【００２１】
ペルチェ素子２４は０．７５Ｖ〜２．８Ｖ程度の電圧を印加するものであり、この実施形態では、放電電極２１側を低温に、放熱フィン２５側を高温にする。室内空気が、この放電電極２１部分で冷却されることで、結露すると、帯電微粒子水が発生することになる。
【００２２】
このため、帯電微粒子水が、空気とともに、排気口６から本体ケース１外に排気され、帯電微粒子水中のヒドロキシルラジカルが臭いと反応し、それを酸化させることで、臭いを分解することができるのである。
【００２３】
なお、ヒドロキシルラジカルはヒドロキシ基（水酸基）に反応するラジカルであり、このラジカルは通常２個１組で軌道上を回転しているはずの電子が一つしかないので、電気的に非常に不安定で、周りの原子や分子から欠けた電子を奪おうとするために、酸化力が非常に強いものであり、この酸化作用により臭いが分解、除去されるのである。
【００２４】
すなわち、静電霧化カバー部１６には、第一の連通口１７と第二の連通口１８とを備え、第一の送風手段２によって送風することにより、負圧発生孔１５が負圧となり、第二の吸気口５から、第一の連通口１７、負圧発生孔１５へ流れる第一の気流１９と、第二の吸気口５から、第二の連通口１８、静電霧化手段３、負圧発生孔１５へ流れる第二の気流２０とが発生する。ここで、第二の連通口１８の開口面積は、第一の連通口１７の開口面積より小さい構成としたので、第一の送風手段２が第一の電動機９によって２種類の風量に切り替わり、送風する風量が大きく変化した場合にも、第二の気流２０は、第一の気流１９の風量に比べ変化が小さいものとなり。つまり、放電電極２１の先端での結露速度の変化も小さく、マイナスに帯電した帯電微粒子水の発生量の変化を小さくできるものである。
【００２５】
これらの結果により、静電霧化装置のマイナスに帯電した帯電微粒子水の発生量をより安定させることができるものである。
【００２６】
図６に示すように、また、第二の気流２０である静電霧化手段３から負圧発生孔１５へ流れる気流部分と、第一の気流１９である第一の連通口１７から負圧発生孔１５へ流れる気流部分とは途中で混ざり合う構成としたものである。具体的には、第二の気流２０である第二の連通口１８から静電霧化手段３を介し、静電霧化手段３から負圧発生孔１５へ流れる途中で、第一の気流１９である第一の連通口１７から負圧発生孔１５へ流れる気流部分に混ざり合うものである。
【００２７】
このように、第一の気流１９の風量に比べ風量が小さい第二の気流２０が、第二の気流２０の風量に比べ風量が大きい第一の気流１９に混ざることにより、静電霧化手段３で発生したマイナスに帯電した帯電微粒子水を第二の気流２０の風量に比べ風量が大きい第一の気流１９に乗せて静電霧化カバー部１６内から負圧発生孔１５へ送風できるので、静電霧化手段３で発生したマイナスに帯電した帯電微粒子水が静電霧化カバー部１６内に留まることを低減できる。
【００２８】
また、負圧発生孔１５は、静電霧化カバー部１６の一方側面寄り下部に位置し、第一の連通口１７は、静電霧化カバー部１６の他方側面寄り上部に位置する構成としたものである。すなわち、第一の気流１９である第一の連通口１７から負圧発生孔１５へ流れる気流部分は、静電霧化カバー部１６の他方側面寄り上部から静電霧化カバー部１６の一方側面寄り下部へ流れる。つまり、静電霧化カバー部１６内を対角方向に流れるので、静電霧化カバー部１６内のマイナスに帯電した帯電微粒子水を効率よく負圧発生孔１５へ送風することができる。
【００２９】
また、第一の連通口１７は、第二の連通口１８より第一のケーシング７寄りに位置したものである。具体的には、第二の連通口１８は、静電霧化カバー部１６の対向側面１６ｂに位置し、第一の連通口１７は、静電霧化カバー部１６の上面に設けると共に、静電霧化カバー部１６の上面の第一のケーシング７近傍に位置したものである。すなわち、第一の気流１９である第一の連通口１７から負圧発生孔１５へ流れる気流部分は、第一のケーシング７の第一の舌片対向面１２の外面に沿って流れるものである。
【００３０】
すなわち、静電霧化手段３で発生したマイナスに帯電した帯電微粒子水が、第一のケーシング７の第一の舌片対向面１２の外面に衝突する前に、第一のケーシング７の第一の舌片対向面１２の外面に沿って流れる第一の気流１９に乗りやすいので、効率よく負圧発生孔１５へ送風することができる。結果として、第一のケーシング７の第一の舌片対向面１２の外面に衝突し、発生量が低減することを抑制できる。
【００３１】
また、図６、７に示すように、放電電極２１および対向電極２２は、第一の気流１９である第一の連通口１７から負圧発生孔１５へ流れる気流部分に対向して配置された構成としたものである。
【００３２】
すなわち、静電霧化手段３で発生したマイナスに帯電した帯電微粒子水は、直接、第一の気流１９である第一の連通口１７から負圧発生孔１５へ流れる気流部分に乗りやすいので、第一のケーシング７の第一の舌片対向面１２の外面に衝突し、発生量が低減することを抑制できる。
【００３３】
また、負圧発生孔に対向した静電霧化カバー部１６には、拡大空間部１６ｄを設けた構成としたものである。
【００３４】
すなわち、拡大空間部１６ｄを設けることで、静電霧化手段３で発生したマイナスに帯電した帯電微粒子水を前記拡大空間部１６ｄに一端溜めた形である一定の濃度になった状態で第一の気流１９に乗せることができるので、発生量が安定すると考えられる。
【００３５】
また、図４に示すように、放熱フィン２５は、静電霧化カバー部１６から外方に突出し、第二の連通口１８は、放熱フィン２５と前記静電霧化カバー部１６との間に位置する構成としたものである。
【００３６】
すなわち、放熱フィン２５と静電霧化カバー部１６との間の隙間部に第二の連通口１８を設けることで、第二の吸気口５からの直接的な風量変化を避けた形で吸気することができるので、第二の気流２０の安定化が図られると共に外部からの外乱を抑制でき、発生量を安定化することができる。
【００３７】
また、図６、７に示すように、静電霧化手段３の対向電極２２と、第二の気流２０である第二の連通口１８から負圧発生孔１５へ流れる気流部分との間に消音手段を設けたものである。
【００３８】
すなわち、対向電極２２と第二の気流２０である第二の連通口１８から負圧発生孔１５へ流れる気流部分との間に消音手段を設けることで、対向電極２２で発生した音を発生した場所の近くで効率良く消音し、第二の気流２０の流れから外部への音漏れを抑制できる。
【００３９】
また、具体的には、消音手段は、筒形状の吸音材２６で、この筒形状の孔方向は、第一の気流１９である第一の連通口１７から負圧発生孔１５へ流れる気流部分に対して垂直方向である。
【００４０】
すなわち、放電電極２１および対向電極２２と、第二の気流２０である第二の連通口１８から負圧発生孔１５へ流れる気流部分との間に筒形状の吸音材２６を設けることで、放電電極２１および対向電極２２で発生した音を包み込む形で発生した場所の近くで効率良く消音し、第二の気流２０の流れから外部への音漏れを抑制できる。また、筒形状である吸音材２６が、放電電極２１および対向電極２２と、第一の気流１９である第一の連通口１７から負圧発生孔１５へ流れる気流部分とのガイドとなる。つまり、放電電極２１で発生したマイナスに帯電した帯電微粒子水が、筒形状である吸音材２６内部を通過し、第一の気流１９である第一の連通口１７から負圧発生孔１５へ流れる気流部分へ流れることにより、放電電極２１で発生したマイナスに帯電した帯電微粒子水が、第一の気流１９である第一の連通口１７から負圧発生孔１５へ流れる気流部分へ効率よく流れる。結果として、第一のケーシング７の第一の舌片対向面１２の外面に衝突する前に、第一のケーシング７の第一の舌片対向面１２の外面に沿って流れる第一の気流１９に乗りやすいので、効率よく負圧発生孔１５へ送風することができる。結果として、第一のケーシング７の第一の舌片対向面１２の外面に衝突し、発生量が低減することを抑制できる。
【００４１】
（実施の形態２）
以下、本発明の実施の形態２における静電霧化装置について図面を参照しながら説明する。なお、実施の形態１の構成と同様の構成を有するものについては、同一符号を付してその説明を省略する。
【００４２】
実施の形態１と相違する点は、図８に示すように、第一の吸気口４と第一の送風手段２との間の風路に、除湿手段３０を備えた点である。具体的には、除湿手段３０は、ヒートポンプ３１と除湿ローター３２とから形成し、ヒートポンプ３１は、圧縮機３３と、圧縮機３３の下流に順次設けた放熱器３４、膨張手段３５、吸熱器３６とにより形成している。第一の送風手段２によって、第一の吸気口４から本体ケース１内に吸気した空気を放熱器３４、吸熱器３６を順次介して排気口６へと送風する。
【００４３】
第一の送風手段２の風路であって放熱器３４と吸熱器３６の間には、回動自在に除湿ローター３２を設けており、この除湿ローター３２は、放湿部３２ａと吸湿部３２ｂとを備えている。
【００４４】
除湿ローター３２の放湿部３２ａは、放熱器３４と吸熱器３６との間の風路に設け、除湿ローター３２の吸湿部３２ｂは、吸熱器３６と排気口６との間の風路に設けた構成としたものである。
【００４５】
ここで、除湿動作について説明すると、第一の送風手段２によって第一の吸気口４から本体ケース１内に吸気した空気は、放熱器３４で加熱され、高温で相対湿度の低い空気となり、除湿ローター３２の放湿部３２ａへ送風される。この放湿部３２ａに送風された空気は、放湿部３２ａの湿気を取り込み湿度の高い状態となって吸熱器３６へ送られる。この吸熱器３６で結露させて除湿し、吸湿部３２ｂに達する。そこで、乾燥状態となった除湿ローター３２の放湿部３２ａが駆動手段３７によって回転し、吸湿部３２ｂとなり、この吸湿部３２ｂで吸熱器３６で除湿されなかった湿度を吸湿し除湿する。この除湿した空気を、第一の送風手段２によって、排気口６から室内へ送風する。
【００４６】
ここで、第一の送風手段２によって、第一の吸気口４から本体ケース１内に吸気した空気を除湿し、この除湿した空気を排気口６へと送風することにより、第一のケーシング７内の第一の舌片対向面１２を流れる気流によって、負圧発生孔１５が負圧となる。これにより、室内の空気が、第二の吸気口５から、静電霧化手段３、および負圧発生孔１５を介して、第一のケーシング７内へ流れ、第一の送風手段２によって、第一の吸気口４から本体ケース１内に吸気した空気と共に排気口６へと送風されるものである。ここで、静電霧化手段３は、対向電極２２と放電電極２１間に高電圧を印加すると共に、第二の吸気口５から室内空気を、放電電極２１部分で冷却し結露させことで、帯電微粒子水を発生させるので、第一の送風手段２によって、除湿した空気と共に、帯電微粒子水を排気口６へと送風するものである。
【００４７】
これにより、除湿した空気と共に、帯電微粒子水を排気口６から室内へと送風できるので、洗濯物に送風することにより、洗濯物を乾燥できると共に、洗濯物の生乾き特有の臭いと反応し、それを酸化させることで、臭いの発生を抑制することができるのである。
【００４８】
（実施の形態３）
以下、本発明の実施の形態３における静電霧化装置について図面を参照しながら説明する。なお、実施の形態１および２の構成と同様の構成を有するものについては、同一符号を付してその説明を省略する。
【００４９】
実施の形態１と相違する点は、図９に示すように、本体ケース１内に除湿手段３０と、加熱手段４０と、第二の送風手段４１とを設け、加熱手段４０を第一の吸気口４と第一の送風手段２との間の風路に備え、第二の送風手段４１によって第一の吸気口４から除湿手段３０を介して排気口６へと送風する構成とした点である。
【００５０】
具体的には、除湿手段３０は、ヒートポンプ３１と除湿ローター３２とから形成し、ヒートポンプ３１は、圧縮機３３と、圧縮機３３の下流に順次設けた放熱器３４、膨張手段３５、吸熱器３６とにより形成している。第二の送風手段４１によって、第一の吸気口４から本体ケース１内に吸気した空気を放熱器３４、吸熱器３６を順次介して排気口６へと送風する。
【００５１】
第二の送風手段４１の風路であって放熱器３４と吸熱器３６の間には、回動自在に除湿ローター３２を設けており、この除湿ローター３２は、放湿部３２ａと吸湿部３２ｂとを備えている。
【００５２】
除湿ローター３２の放湿部３２ａは、放熱器３４と吸熱器３６との間の風路に設け、除湿ローター３２の吸湿部３２ｂは、吸熱器３６と排気口６との間の風路に設けた構成としたものである。
【００５３】
ここで、除湿動作について説明すると、第二の送風手段４１によって第一の吸気口４から本体ケース１内に吸気した空気は、放熱器３４で加熱され、高温で相対湿度の低い空気となり、除湿ローター３２の放湿部３２ａへ送風される。この放湿部３２ａに送風された空気は、放湿部３２ａの湿気を取り込み湿度の高い状態となって吸熱器３６へ送られる。この吸熱器３６で結露させて除湿し、吸湿部３２ｂに達する。そこで、乾燥状態となった除湿ローター３２の放湿部３２ａが駆動手段３７によって回転し、吸湿部３２ｂとなり、この吸湿部３２ｂで吸熱器３６で除湿されなかった湿度を吸湿し除湿する。この除湿した空気を、第二の送風手段４１によって、排気口６から室内へ送風する。
【００５４】
一方、加熱手段４０でもある放熱器３４を第一の吸気口４と第一の送風手段２との間の風路に備えたものである。この第一の送風手段２によって、第一の吸気口４から本体ケース１内に吸気した空気を、加熱手段４０でもある放熱器３４によって加熱し、この加熱した空気を排気口６へと送風することにより、第一のケーシング７内の第一の舌片対向面１２を流れる気流によって、負圧発生孔１５が負圧となる。これにより、室内の空気が、第二の吸気口５から、静電霧化手段３、および負圧発生孔１５を介して、第一のケーシング７内へ流れ、第一の送風手段２によって、第一の吸気口４から本体ケース１内に吸気した空気と共に排気口６へと送風されるものである。ここで、静電霧化手段３は、対向電極２２と放電電極２１間に高電圧を印加すると共に、第二の吸気口５から流れる室内空気を、放電電極２１部分で冷却し結露させことで、帯電微粒子水を発生させるので、第一の送風手段２によって、加熱した空気と共に、帯電微粒子水を排気口６へと送風するものである。
【００５５】
すなわち、第二の送風手段４１によって、除湿した空気を排気口６から室内へ送風し、第一の送風手段２によって、加熱した空気と共に、帯電微粒子水を排気口６へと送風するものである。
【００５６】
これにより、除湿した空気と加熱した空気と共に、帯電微粒子水を排気口６から室内へと送風できるので、洗濯物に送風することにより、より早く洗濯物を乾燥できると共に、洗濯物の生乾き特有の臭いと反応し、それを酸化させることで、臭いの発生を抑制することができるのである。
【産業上の利用可能性】
【００５７】
以上のように本発明は、静電霧化装置のマイナスに帯電した帯電微粒子水の発生量をより安定させることが出来るものである。
【００５８】
すなわち、静電霧化カバー部には、第一の連通口と第二の連通口とを備え、第一の送風手段によって送風することにより、負圧発生孔が負圧となり、第二の吸気口から、第一の連通口、負圧発生孔へ流れる第一の気流と、第二の吸気口から、第二の連通口、静電霧化手段、負圧発生孔へ流れる第二の気流とが発生する。ここで、第二の連通口の開口面積は、第一の連通口の開口面積より小さい構成としたので、第一の送風手段によって送風する風量が大きく変化した場合にも、第二の気流は、第一の気流の風量に比べ変化が小さいものである。つまり、放電電極の先端での結露速度の変化も小さく、マイナスに帯電した帯電微粒子水の発生量の変化を小さくできるものである。
【００５９】
これらの結果により、静電霧化装置のマイナスに帯電した帯電微粒子水の発生量をより安定させることができるものである。
【００６０】
従って、家庭用や事務所用などの、静電霧化装置として活用が期待されるものである。
【符号の説明】
【００６１】
１      本体ケース
２      第一の送風手段
３      静電霧化手段
４      第一の吸気口
５      第二の吸気口
６      排気口
７      第一のケーシング
８      第一の羽根
９      第一の電動機
１０    舌片
１１    第一の舌片形成面
１２    第一の舌片対向面
１３    第一の側面
１４    第二の側面
１５    負圧発生孔
１６    静電霧化カバー部
１６ｄ  拡大空間部
１７    第一の連通口
１８    第二の連通口
１９    第一の気流
２０    第二の気流
２１    放電電極
２２    対向電極
２３    高電圧印部
２４    ペルチェ素子
２５    放熱フィン
２６    吸音材
３０    除湿手段
３１    ヒートポンプ
３２    除湿ローター
３２ａ  放湿部
３２ｂ  吸湿部
３３    圧縮機
３４    放熱器
３５    膨張手段
３６    吸熱器
４０    加熱手段
４１    第二の送風手段
【図１】
2011183015.tif 000003
【図２】
2011183015.tif 000004
【図３】
2011183015.tif 000005
【図４】
2011183015.tif 000006
【図５】
2011183015.tif 000007
【図６】
2011183015.tif 000008
【図７】
2011183015.tif 000009
【図８】
2011183015.tif 000010
【図９】
2011183015.tif 000011